(57)【要約】      （修正有）【課題】地点に対するユーザの認知度に応じて、そのユーザに提供する情報の種類を切り替えることで、ユーザの利便性を向上させる情報提示システム、提示方法及びプログラムを提供する。【解決手段】情報提示システム（ナビゲーションシステム４００であって、地点に対するユーザの認知の程度を示す認知レベルを決定する認知レベル決定部４０７と、前記認知レベルに応じて、ユーザに提示する地点に関する情報の種類を変更して提示する情報提示部４０４とを有する。【選択図】図４
2019164476.tif 000002
【特許請求の範囲】
【請求項１】
地点に対するユーザの認知の程度を示す認知レベルを決定する決定手段と、
前記認知レベルに応じて、前記ユーザに提示する前記地点に関する情報の種類を変更して提示する提示手段と
を有することを特徴とする情報提示システム。
【請求項２】
前記決定手段は、複数の地点それぞれに対して、前記認知レベルを決定し、
前記提示手段は、前記複数の地点ごとの前記認知レベルに応じて、前記ユーザに提示する前記複数の地点のそれぞれに関する情報の種類を変更することを特徴とする請求項１に記載の情報提示システム。
【請求項３】
前記認知レベルは、前記ユーザの行動履歴に基づいて決定されることを特徴とする請求項１または２に記載の情報提示システム。
【請求項４】
前記決定手段は、前記ユーザの地点への訪問回数が多いほど、当該ユーザの当該地点に対する認知レベルが高いと決定することを特徴とする請求項３に記載の情報提示システム。
【請求項５】
前記地点が店舗であるとき、
前記決定手段は、当該店舗の周知性に関する情報に基づいて、当該地点の認知レベルを決定することを特徴とする請求項１乃至４のいずれか一項に記載の情報提示システム。
【請求項６】
前記決定手段は、当該店舗の支店数に応じて、当該地点の認知レベルを決定することを特徴とする請求項５に記載の情報提示システム。
【請求項７】
前記認知レベルは、地点の名称に含まれるキーワードに応じて決定されることを特徴とする請求項１乃至６のいずれか一項に記載の情報提示システム。
【請求項８】
前記キーワードは、周知性に関する情報に基づいて定義されることを特徴とする請求項７に記載の情報提示システム。
【請求項９】
前記キーワードは、前記地点の属性を示す文字列であることを特徴とする請求項７または８に記載の情報提示システム。
【請求項１０】
前記提示手段は、地点に対する前記ユーザの認知レベルに応じて、提示する当該地点に関する情報の種類の数を変更させることを特徴とする請求項１乃至９のいずれか一項に記載の情報提示システム。
【請求項１１】
前記提示手段は、地点に対する前記ユーザの認知レベルが高いほど、提示する当該地点に関する情報の種類の数を減少させることを特徴とする請求項１乃至１０のいずれか一項に記載の情報提示システム。
【請求項１２】
前記地点に関する情報の種類は、当該地点の名称、当該地点に関する少なくとも１つの属性情報、および当該地点に関する少なくとも１つの詳細情報を含んで構成されることを特徴とする請求項１乃至１１のいずれか一項に記載の情報提示システム。
【請求項１３】
前記提示手段は、音声もしくは画面表示の少なくとも一方により地点に関する情報を提示することを特徴とする請求項１乃至１２のいずれか一項に記載の情報提示システム。
【請求項１４】
前記提示手段にて情報を提示した地点に対する指示を受け付ける手段を更に有し、
前記提示手段は更に、前記指示を受け付けた地点に対する認知レベルに応じて、前記ユーザに提示する当該地点に関する情報の種類を変更することを特徴とする請求項１乃至１３のいずれか一項に記載の情報提示システム。
【請求項１５】
地点に対するユーザの認知の程度を示す認知レベルを決定する決定工程と、
前記認知レベルに応じて、前記ユーザに提示する前記地点に関する情報の種類を変更して提示する提示工程と
を有することを特徴とする情報提示方法。
【請求項１６】
コンピュータを、
地点に対するユーザの認知の程度を示す認知レベルを決定する決定手段、
前記認知レベルに応じて、前記ユーザに提示する前記地点に関する情報の種類を変更して提示する提示手段
として機能させるためのプログラム。
【発明の詳細な説明】
【技術分野】
【０００１】
本発明は、移動体における情報提示技術に関する。
【背景技術】
【０００２】
従来、自動車などの車両における所謂ナビゲーションシステムでは、走行中などに、走行経路の周辺に位置する店舗や設備の情報を提供する機能がある。
【０００３】
例えば、特許文献１では、車載のナビゲーションシステムにおいて、地図にて示されるＰＯＩ情報を提示する際に、所定の基準に従って順序付けして出力する技術が開示されている。
【先行技術文献】
【特許文献】
【０００４】
【特許文献１】特開２０１２−１４５４３２号公報
【発明の概要】
【発明が解決しようとする課題】
【０００５】
一方、ナビゲーションシステムにおいて、提供される情報は、その情報の表示領域の大きさなどに影響され、文字数などの情報量が制限される場合がある。そのため、車両の運転者は、上記の様な限られた領域において、ある地点に関する既知の情報や冗長な情報は省略させ、自身に必要な情報や把握していない情報を優先的に提供させたいという要求がある。
【０００６】
本発明では、地点に対するユーザの認知度に応じて、そのユーザに提供する情報の種類を切り替えることで、ユーザの利便性を向上させることを目的とする。
【課題を解決するための手段】
【０００７】
上記課題を解決するために本発明は以下の構成を有する。すなわち、情報提示システムであって、
地点に対するユーザの認知の程度を示す認知レベルを決定する決定手段と、
前記認知レベルに応じて、前記ユーザに提示する前記地点に関する情報の種類を変更して提示する提示手段と
を有する。
【発明の効果】
【０００８】
本発明により、地点に対するユーザの認知度に応じて、そのユーザに提供する情報の種類を切り替えることで、ユーザの利便性を向上させることができる。
【図面の簡単な説明】
【０００９】
【図１】本発明の一実施形態に係るシステム構成の例を示す図。
【図２】本発明に係る車両に積載される端末装置のハードウェア構成の例を示す図。
【図３】本発明に係る情報処理装置のハードウェア構成の例を示す図。
【図４】本発明に係るナビゲーションシステムのソフトウェア構成の例を示す図。
【図５】本発明に係る画面構成を説明するための図。
【図６】本発明に係る認知レベルを説明するための図。
【図７】本発明に係るデータの構成例を示す図。
【図８】本発明に係る認知レベルの設定処理のフローチャート。
【図９】本発明に係る表示処理のフローチャート。
【図１０】第２の実施形態に係る情報提示の概念を説明するための図。
【発明を実施するための形態】
【００１０】
以下、本願発明に係る一実施形態について、図面を用いて説明する。なお、以下に示す構成等は一例であり、これに限定するものではない。
【００１１】
＜第１の実施形態＞
［システム構成］
図１は、本実施形態に係るシステムの構成例を示す図である。本実施形態に係るシステムは、車両１、携帯端末２、及び、サーバ３を含んで構成される。また、車両１、携帯端末２、及び、サーバ３は互いに、ネットワーク１０を介して通信可能に接続されている。
【００１２】
車両１には、本実施形態に係るナビゲーションシステムとしての情報処理端末が搭載されているものとする。
【００１３】
携帯端末２は、例えば、携帯電話、スマートフォン、モバイル端末などが該当する。携帯端末２は、外部装置と通信を行うための通信部や、各種情報を表示するための表示部、及び、ユーザの操作を受け付けるための入力部を含んで構成される。
【００１４】
サーバ３は、情報処理装置であって、車両１や携帯端末２からの要求に応じて各種処理を行い、情報を提供する。
【００１５】
ネットワーク１０は、例えば、インターネットなどが該当するが、通信規格や有線／無線などは特に問わない。なお、図１においては、各装置が１台ずつ示されているが、これに限定するものではなく、複数の装置が含まれてよい。
【００１６】
本実施形態では、図１に示すシステム構成において、車両１に搭載された情報処理端末としてのナビゲーションシステムを例に挙げて説明するが、これに限定するものではない。例えば、携帯端末２がナビゲーションシステムとして機能し、車両の内部にて用いられるような構成であってもよい。なお、携帯端末２におけるナビゲーションシステムとしての機能は、携帯端末２にインストールされたアプリ（不図示）が提供してもよい。
【００１７】
［ハードウェア構成例］
（車両）
図２は、本実施形態に係る車両１に設けられる情報処理端末のハードウェア構成の例を示す図である。なお、図２に示すハードウェア構成については、本実施形態に係る情報処理の部分に関する部位のみを示し、例えば、移動に関する部位（操舵やブレーキなど）についてはここでは省略する。また、携帯端末２も同等の構成を備えるものとし、ここでの説明は省略する。
【００１８】
情報処理端末２００は、ＣＰＵ２０１、ＲＡＭ２０２、ＲＯＭ２０３、ＨＤＤ２０４、ＮＩＣ２０５、検知装置２０６、ＧＰＳ２０７、および入出力装置２０８を含んで構成される。各部位は、内部バス２０９を介して互いに通信可能に接続される。ＣＰＵ２０１は、情報処理端末２００の情報処理全体の制御を司る。ＲＡＭ(Random Access Memory)２０２は、揮発性の記憶領域であり、ワークメモリなどとして利用される。ROM(Read Only Memory)２０３は、不揮発性の記憶領域であり、各種プログラムやデータが保持される。ＨＤＤ(Hard Disk Drive)２０４は、不揮発性の記憶領域であり、各種データが保持される。ＮＩＣ(Network Interface Card)２０５は、外部ネットワーク（不図示）を介した外部装置との通信を司り、各種データを送受信する。ここでの通信方法において、有線／無線や、通信方式を限定するものではなく、これらが組み合わせて行われてもよい。
【００１９】
検知装置２０６は、例えば、カメラなどの撮像装置や移動体の周辺の情報を取得するためのセンサなどが該当する。ＧＰＳ(Global Positioning System)２０７は、情報処理端末２００（車両１）の位置情報を取得する。入出力装置２０８は、各種情報を表示したり、ユーザ等からの指示を受け付けたりする。入出力装置２０８は、例えば、タッチパネルディスプレイなど、入力と出力が一体化した構成であってもよい。また、入出力装置２０８は、音声などによる出力機能を備えてもよい。
【００２０】
（サーバ）
図３は、本実施形態に係るサーバ３として機能する情報処理装置のハードウェア構成の例を示す図である。
【００２１】
情報処理装置３００は、ＣＰＵ３０１、ＲＡＭ３０２、ＲＯＭ３０３、ＨＤＤ３０４、ＮＩＣ３０５、出力装置３０６、および入力装置３０７を含んで構成される。各部位は、内部バス３０８を介して互いに通信可能に接続される。ＣＰＵ３０１は、情報処理装置３００の処理全体の制御を司る。ＲＡＭ(Random Access Memory)３０２は、揮発性の記憶領域であり、ワークメモリなどとして利用される。ROM(Read Only Memory)３０３は、不揮発性の記憶領域であり、各種プログラムやデータが保持される。ＨＤＤ(Hard Disk Drive)３０４は、不揮発性の記憶領域であり、各種データが保持される。ＮＩＣ(Network Interface Card)３０５は、外部ネットワーク（不図示）を介した外部装置との通信を司り、各種データを送受信する。ここでの通信方法において、有線／無線や、通信方式を限定するものではなく、これらが組み合わせて行われてもよい。出力装置３０６は、外部機器に対し、各種データを出力する。出力装置３０６は、ディスプレイなどの表示装置を含んでもよい。入力装置３０７は、外部からの入力、指示を受け付ける。
【００２２】
［ソフトウェア構成］
図４は、本実施形態に係る車両１に搭載される情報処理端末２００のナビゲーションシステム４００のソフトウェア構成の例を示す図である。ナビゲーションシステム４００は、位置情報取得部４０１、経路特定部４０２、施設情報選別部４０３、情報提示部４０４、移動履歴記録部４０５、施設情報取得部４０６、および認知レベル決定部４０７を含んで構成される。更に、ナビゲーションシステム４００は、施設情報ＤＢ４０８、履歴情報ＤＢ４０９、および地図情報ＤＢ４１０を含んで構成される。
【００２３】
位置情報取得部４０１は、情報処理端末２００（車両１）の現在位置の情報を取得する。現在位置は、例えば、情報処理端末２００が備えるＧＰＳ２０７から取得する。経路特定部４０２は、車両１が走行している経路を特定する。ここでの経路には、これから走行予定の経路の情報を含んでもよい。施設情報選別部４０３は、各施設に関する情報のうち、ユーザに提示する情報を選別する処理を行う。なお、ここでは、ナビゲーションシステム４００において提供される情報の対象を、便宜上「施設」と記載するが、これは建造物の他、観光地や公園、自然などの様々な地点（ＰＯＩ：Point Of Interest）を含んでよい。情報提示部４０４は、施設情報選別部４０３にて選別された各種情報を提示する。ここでの提示方法は、音声や画面表示など、提示する情報やユーザの設定に応じて切り替わってよい。また、提示した情報の履歴や、提示した情報に対するユーザのアクセス履歴に関する情報が履歴情報として履歴情報ＤＢ４０９に適時記録される。移動履歴記録部４０５は、情報処理端末２００（車両１）の移動に関する情報を移動履歴情報として履歴情報ＤＢ４０９に適時記録する。ここでの移動に関する情報は、走行経路の他、ある地点への訪問履歴も含む。施設情報取得部４０６は、外部装置（例えば、サーバ３）と通信を行い、各施設に関する情報を取得する。ここで取得された情報は、施設情報ＤＢ４０８に保持される。認知レベル決定部４０７は、施設情報ＤＢ４０８に保持された各施設情報に対応付けて、ユーザの認知レベルを決定する。認知レベルの決定方法については後述する。
【００２４】
施設情報ＤＢ４０８は、店舗や施設など、各地点に位置する設備の情報を保持、管理するためのデータベースである。履歴情報ＤＢ４０９は、情報処理端末２００（車両１）の移動の履歴に関する情報や、ナビゲーションシステム４００が提供した情報やこの情報へのアクセス履歴に関する情報を保持、管理するためのデータベースである。地図情報ＤＢ４１０は、道路等に関する情報や座標を含む地図情報を保持、管理するためのデータベースである。
【００２５】
［画面構成］
図５は、本実施形態に係るナビゲーションシステム４００の画面構成を説明するための図である。図５（ａ）は、従来の方法により、画面に近隣施設に関する情報を表示させた例を示している。ここでは、ナビゲーションシステム４００が車両１の近隣施設を検索し、その検索結果を一覧形式で表示した例を示している。画面５００において、５つの施設に関するアイコン５０１〜５０５が表示されている。例えば、ユーザは、アイコン５０１〜５０５のいずれかを選択することで、そのアイコンに対応する施設に関する更なる情報（詳細情報）を表示させることができる。
【００２６】
一方、図５（ｂ）は、本実施形態に係るナビゲーションシステム４００による表示結果を示す画面５１０の構成例を示す。基本的な構成は、図５（ａ）と同様であるが、一部のアイコン５１２、５１４の表示内容が異なっている。
【００２７】
図５（ａ）（ｂ）を比較しながら説明を行う。図５（ａ）において、検索結果としての設備の情報を示す各アイコンには、施設名のみが表示されている。一方、図５（ｂ）においては、アイコン５１１、５１３、５１５は施設名のみが表示され、アイコン５１２、５１４には、施設名に加え、店のジャンルや提供される料理の情報が表示されている。
【００２８】
図５に示すように、一般的に、車両などに搭載されるナビゲーションシステムにおいては、情報を表示するための領域が制限されており、一度に提示できる情報量や文字のサイズなどは限られる。そのため、仮に図５（ｂ）のアイコン５１２、５１４に表示されているような施設名以外の情報を全てのアイコンに表示した場合、視認性が低下する。また、例えば、アイコン５０３のように施設名に提供される料理の情報（ここでは、「中華そば」）がすでに含まれている場合において、別途料理の情報を表示すると、冗長な表示になる。
【００２９】
一方、図５（ａ）に示すように、施設名のみを表示した場合、各施設がどのような施設なのかに関する情報量が少ない場合がある。このような場合に、アイコンを一つ一つ個別に選択して詳細情報を提示させる方法もあるが、この場合にはアイコンごとに指示を行う必要があり、ユーザの手間が生じる。例えば、図５（ａ）のアイコン５０２が示す施設は、どのような施設（例えば、レストランなのか、居酒屋なのかなど）なのかが一見しても分からない。このような場合には、ユーザはその施設に対する更なる情報を要求する可能性が高い。
【００３０】
一方、ユーザが複数回訪問した施設などにおいては、ユーザはその施設に関する情報を把握している可能性が高い。このような施設に関する情報は省略することで、冗長な表示を抑制することができる。例えば、図５（ａ）の画面５００に示されたアイコン５０５の施設について、ユーザが一定回数訪問しており、この施設の情報は把握しているものとする。通常の場合、アイコン５０５に表示された施設名のみでは、どのような施設であるかは一見しても分からない。しかし、ユーザがこの施設の情報を把握していれば、施設名のみで十分であるとして、本実施形態では、図５（ｂ）の画面５１０のアイコン５１５に示すように、施設名のみを表示する。
【００３１】
また、アイコン５０１において施設名に「Ａ支店」という支店名となる文字列（キーワード）が含まれている。この場合、レストランＸＸはチェーン店である可能性が高く、その店舗数から一定程度の周知性を推定することが可能である。一定程度の周知性を有する施設については、ユーザがある程度この施設に対する情報を把握していると推定することが可能である。
【００３２】
上記を踏まえ、本実施形態では、情報の出力が制限されている場合において、ユーザの特性や施設の特性に応じて、出力する情報を切り替える。
【００３３】
［認知レベル］
図６は、本実施形態に係る施設に対する認知レベルを説明するための図である。ユーザ自身の知識や経験、もしくは施設の周知性などに応じて、各施設に対するユーザの認知の程度は異なる。そこで、本実施形態では、各施設に対して、ユーザの認知レベルを設定し、そのレベルに応じて提示する情報の内容を切り替える。なお、図６に示す認知レベルの分類や評価基準は一例であり、これに限定するものではない。
【００３４】
図６において、認知レベルは、５段階（０〜４）で設定され、値が大きくなるに従って、ユーザの施設に対する認知の程度が高くなっているものとする。ここでのユーザとは、ナビゲーションシステム４００（車両１）を利用するユーザであるものとする。認知レベルに応じて、入出力装置２０８にて出力される情報が規定される。また、各施設がいずれの認知レベルに該当するかを判断するための評価基準が規定されている。評価基準は、複数が設けられ、ユーザの行動（訪問）履歴や、情報へのアクセス履歴、外部装置（サーバ等）から取得した情報などに基づいて評価が行われる。なお、評価基準はいずれかを満たした場合であってもよいし、全ての基準を満たした場合に該当するとして判定してもよい。また、各評価基準に優先度を設定し、優先度の高い評価基準を満たした場合に、該当するものとして判定してもよい。また、各認知レベルにおいて提示する提示情報の項目は、図６に示すものに限定するものではない。例えば、ユーザが設定可能な様に構成されてもよい。
【００３５】
［データ構成］
図７は、本実施形態に係るナビゲーションシステム４００が管理する情報の構成例を示す。図７（ａ）は、各施設に関する施設情報であり、施設情報ＤＢ４０８にて管理される。図７（ｂ）は、履歴情報であり、履歴情報ＤＢ４０９にて管理される。ここでテーブルとして示す情報の構成は一例であり、他の情報を含んでもよい。例えば、施設に関する画像データを含んでもよい。
【００３６】
（施設情報）
図７（ａ）に示す施設情報は、施設を一意に識別するための識別情報（ID）、施設名、ジャンル、カテゴリ、営業時間、駐車場の有無、その他の詳細情報、および位置情報が対応付けて保持されている。その他の詳細情報に含まれる情報は、特に限定するものではなく、必要に応じて更に詳細な分類が行われてもよい。ここでは、属性情報としてジャンルやカテゴリが用いられているが、その他の属性情報が含まれてもよい。また、詳細情報として営業時間や駐車場の有無が用いられているが、その他の詳細情報が含まれてもよい。また、属性情報や詳細情報は、階層構造により構成されていてもよい。この場合、認知レベルに応じて提示する情報の階層を選定してもよい。また、外部装置（例えば、サーバ３）から情報を取得することにより、施設情報の内容が適時更新されるような構成であってもよい。本実施形態では、施設情報に含まれる各種情報から、ユーザに対して表示される施設（地点）に関する情報が選別される。
【００３７】
（履歴情報）
図７（ｂ）に示す履歴情報は、施設の識別情報（ＩＤ）、施設情報を提示した累積回数、施設情報を提示した最終日時、提示した施設情報にユーザがアクセスした累積回数、施設情報にアクセスした最終日時、施設に訪問した回数、施設に訪問した最終日時、および認知レベルが対応付けて保持されている。認知レベルは、上述したような評価基準に基づいて、定期的に更新されるものとする。識別情報（ＩＤ）は、図７（ａ）の施設情報に対応しているものとする。施設への訪問は、施設の位置情報と車両１（情報処理端末２００）の位置情報とから特定してよいし、ユーザによる入力に基づいて更新してもよい。
【００３８】
［処理フロー］
（認知レベル設定処理）
図８は、本実施形態に係る、各施設に対する認知レベルの設定を行う処理のフローチャートである。本処理は、情報処理端末２００のＣＰＵ２０１が、ＲＯＭ２０３等に保持されたプログラムを読み出して実行することにより、認知レベル決定部４０７として動作することで実現される。なお、本実施形態では、図６に示した認知レベルの段階と、評価基準の一部を例に挙げて説明するが、他の段階数や評価基準を用いる場合には、それに応じて処理の判定が変化する。また、本処理は、所定のタイミングや、一定の間隔ごとに開始されるものとする。
【００３９】
Ｓ８０１にて、ＣＰＵ２０１は、施設情報ＤＢ４０８に保持された施設情報の中から、１つの施設を処理対象として選択する。
【００４０】
Ｓ８０２にて、ＣＰＵ２０１は、Ｓ８０１にて選択した施設に対応する施設情報および履歴情報を参照し、所定期間内に当該施設へユーザが訪問したことがあるか否かを判定する。ここでの所定期間とは、例えば、現在時刻からさかのぼってある期間を指し、この期間は予め規定され、その情報が保持されているものとする。訪問したことがあると判定された場合は（Ｓ８０２にてＹＥＳ）Ｓ８０３へ進み、訪問したことが無いと判定された場合は（Ｓ８０２にてＮＯ）Ｓ８０６へ進む。
【００４１】
Ｓ８０３にて、ＣＰＵ２０１は、Ｓ８０１にて選択した施設に対応する施設情報および履歴情報を参照し、所定期間内に当該施設へ所定回数Ｘ以上、ユーザが訪問したことがあるか否かを判定する。ここでのＸは、予め規定され、その値が保持されているものとする。訪問回数がＸ回以上であると判定された場合（Ｓ８０３にてＹＥＳ）Ｓ８０４へ進み、訪問回数がＸ回未満であると判定された場合（Ｓ８０３にてＮＯ）Ｓ８０５へ進む。
【００４２】
Ｓ８０４にて、ＣＰＵ２０１は、Ｓ８０１にて選択した施設に対する認知レベルを“４”に設定する。その後、Ｓ８１１へ進む。
【００４３】
Ｓ８０５にて、ＣＰＵ２０１は、Ｓ８０１にて選択した施設に対する認知レベルを“３”に設定する。その後、Ｓ８１１へ進む。
【００４４】
Ｓ８０６にて、ＣＰＵ２０１は、選択した施設の施設名が、外部情報に基づく所定のキーワードを含むか否かを判定する。ここでの所定のキーワードは、例えば、外部装置から取得した情報に基づいて定義されたキーワードであり、例えば、周知性の高い文字列などが該当する。周知性の高い文字列を含む場合には、ユーザもその施設に関する情報をある程度認知しているものとして扱う。例えば、ニュースなどで取り扱われる頻度が高いキーワードや、インターネット上で検索される回数が多いキーワードなどが挙げられる。所定のキーワードについては、例えば、辞書として、記憶部に保持されているものとし、所定のタイミングで更新されるような構成であってもよい。施設名が所定のキーワードを含むと判定された場合は（Ｓ８０６にてＹＥＳ）Ｓ８０７へ進み、含まないと判定された場合は（Ｓ８０６にてＮＯ）Ｓ８０８へ進む。
【００４５】
Ｓ８０７にて、ＣＰＵ２０１は、Ｓ８０１にて選択した施設に対する認知レベルを“２”に設定する。その後、Ｓ８１１へ進む。
【００４６】
Ｓ８０８にて、ＣＰＵ２０１は、選択した施設の施設名が、所定の条件を満たすキーワードを含むか否かを判定する。ここでの所定の条件を満たすキーワードとは、例えば、その業務内容（営業時間などを含む）を示すキーワードや、提供する商品を示すキーワードなど、施設の属性を示す文字列などが該当する。なお、所定の条件は、上記に限定するものではなく、他の条件であってもよい。また、キーワードについては、例えば、辞書として、記憶部に保持されているものとし、所定のタイミングで更新されるような構成であってもよい。施設名がキーワードを含むと判定された場合（Ｓ８０８にてＹＥＳ）Ｓ８０９へ進み、含まないと判定された場合（Ｓ８０８にてＮＯ）Ｓ８１０へ進む。
【００４７】
Ｓ８０９にて、ＣＰＵ２０１は、Ｓ８０１にて選択した施設に対する認知レベルを“１”に設定する。その後、Ｓ８１１へ進む。
【００４８】
Ｓ８１０にて、ＣＰＵ２０１は、Ｓ８０１にて選択した施設に対する認知レベルを“０”に設定する。その後、Ｓ８１１へ進む。
【００４９】
Ｓ８１１にて、ＣＰＵ２０１は、全ての施設に対する処理が完了したか否かを判定する。未処理の施設がある場合（Ｓ８１１にてＮＯ）Ｓ８０１へ戻り、未処理の施設の中から１つの施設を処理対象として選択し、処理を繰り返す。全ての施設に対する処理が完了した場合は（Ｓ８１１にてＹＥＳ）、本処理フローを終了する。なお、上述したように、本処理フローが終了した後に、一定の期間が経過した後、もしくは、所定のタイミングにて本処理が再度開始される。
【００５０】
（施設情報表示処理）
図９は、本実施形態に係る施設情報の表示処理のフローチャートである。本処理は、情報処理端末２００のＣＰＵ２０１が、ＲＯＭ２０３等に保持されたプログラムを読み出して実行することにより実現される。本処理は、ユーザの指示に起因して実行されてもよいし、車両１が走行中に所定の間隔で開始するような構成であってもよい。
【００５１】
Ｓ９０１にて、ＣＰＵ２０１は、車両１の経路情報を取得する。ここでの経路情報は、車両１の現在位置や、これから走行予定の経路などの情報が含まれる。
【００５２】
Ｓ９０２にて、ＣＰＵ２０１は、施設の検索条件を取得する。ここでの検索条件は、ユーザにより入力されてもよいし、車両１（情報処理端末２００）の現在位置からの距離など予め規定された条件を用いてもよい。
【００５３】
Ｓ９０３にて、ＣＰＵ２０１は、取得した経路情報と検索条件に基づき、出力する施設情報を施設情報ＤＢ４０８から検索する。
【００５４】
Ｓ９０４にて、ＣＰＵ２０１は、Ｓ９０３の検索結果に基づいて抽出された各施設の施設情報から、出力すべき情報を選別する。本実施形態では、各施設情報に設定された認知レベルに応じて、出力すべき情報を選別する。例えば、図７（ａ）に示した施設情報の例では、施設名称、その施設の属性情報としてのジャンルやカテゴリ、その施設の詳細情報としての営業時間や駐車場の有無などの情報の中から選別される。
【００５５】
Ｓ９０５にて、ＣＰＵ２０１は、Ｓ９０４にて選別した施設情報を出力する。例えば、図５（ｂ）の画面５１０のように画面表示を行う。なお、検索の結果、一度に表示できる数以上の施設が抽出された場合は、優先度が高い順に表示するようにしてもよい。ここでの優先度は、現在位置から近い順や、特定のソート条件などが設定されてよい。
【００５６】
Ｓ９０６にて、ＣＰＵ２０１は、出力した施設情報に対する指示を受け付けたか否かを判定する。ここでの指示は、例えば、ユーザによる施設に対応するアイコンの押下や、音声による指示であってもよい。指示を受け付けた場合は（Ｓ９０６にてＹＥＳ）Ｓ９０７へ進み、指示を受け付けていない場合は（Ｓ９０６にてＮＯ）本処理フローを終了する。
【００５７】
Ｓ９０７にて、ＣＰＵ２０１は、Ｓ９０６にて受け付けた指示に基づき、更なる施設の情報を出力する。例えば、Ｓ９０５にて出力した施設情報の更なる詳細情報を出力するようにしてもよいし、出力内容を切り替えるような動作を行ってもよい。そして、本処理フローを終了する。
【００５８】
以上、本実施形態により、ナビゲーションシステムなどの出力される情報の情報量が制限される環境において、ユーザに提供する情報の種類を切り替えることで、ユーザの利便性を向上させることが可能となる。
【００５９】
＜第２の実施形態＞
第１の実施形態では、図５にて述べたような検索結果において、提示する情報量（粒度）を認知レベルに応じて変更する形態を示した。また、図９のＳ９０６、Ｓ９０７において、検索結果に対する更なる指示を受け付けた場合に、その施設に対する詳細情報を提示する構成について説明した。
【００６０】
本実施形態では、検索結果に対する更なる指示を受け付けた場合に、その施設に対する詳細情報を認知レベルに応じて更に粒度を変更するような構成について説明する。なお、第１の実施形態と同様の構成については、説明を省略する。
【００６１】
図１０は、本実施形態に係る情報提示の概念を説明するための図である。図１０の左側は、図５（ｂ）と同じ検索結果例としての画面５１０を示す。また、各施設に対応する施設情報は、図７に示したものと同様であるとする。
【００６２】
アイコン５１１に対応する施設は認知レベルとして“０”が設定されている。この場合において、ユーザからアイコン５１１に対する指示を受け付けたとする。ここでの指示は、タッチパネル画面上に表示されたアイコンの押下であってもよいし、ユーザの音声による指示であってもよい。この場合、ナビゲーションシステム４００は、図７にて示す施設情報のうち、情報１００１に示す情報を提示する。ここでの提示方法は、画面上に表示させてもよいし、音声による提示であってもよい。
【００６３】
同様に、アイコン５１２に対応する施設は認知レベルとして“１”が設定されている。この場合において、ユーザからアイコン５１２に対する指示を受け付けたとする。この場合、情報提示装置は、図７にて示す施設情報のうち、情報１００２に示す情報を提示する。また、アイコン５１５に対応する施設は認知レベルとして“４”が設定されている。この場合において、ユーザからアイコン５１５に対する指示を受け付けたとする。この場合、情報提示装置は、図７にて示す施設情報のうち、情報１００３に示す情報を提示する。
【００６４】
つまり、本実施形態では、ユーザによる施設の更なる詳細情報が要求された場合において、設定されている認知レベルに応じて、提示する詳細情報の内容を選定した上で、提示する。図１０に示す例において、認知レベルが“０”と“１”の場合では、認知レベルが高いほど、提示する情報量を減少させている。更に、認知レベルが“４”の場合には、異なる種類の情報（ここでは、メニューに関する情報）を提示している。
【００６５】
なお、認知レベルに応じて提示する情報の種類や数は、特に限定するものではなく、施設の種類などに応じて設定してもよい。
【００６６】
また、詳細情報を提示した上で、更にユーザから詳細情報の提示の指示を受け付けた場合には、異なる内容の詳細情報を更に提示するような構成であってもよい。また、文字列の表示や音声による通知の他、画像を表示するような構成であってもよい。
【００６７】
以上、本実施形態により、ユーザの施設に対する認知度に応じて、提供する詳細な情報の種類を切り替えることで、ユーザの利便性を向上させることが可能となる。
【００６８】
＜その他の実施形態＞
上記の実施形態では、車両に搭載された情報提示装置が処理を行う構成について述べたが、これに限定されるものではない。例えば、図８の処理の一部もしくは全部をサーバ側で処理を行うような、複数の装置から構成される情報提示システムとしての構成であってよい。この場合、サーバと車両（情報提示装置）とは適時データの送受信を行い、サーバは、ユーザの施設に対する認知レベルの更新を行うようにしてよい。
【００６９】
＜実施形態のまとめ＞
１．上記実施形態の情報提示システム（例えば、４００）は、
地点に対するユーザの認知の程度を示す認知レベルを決定する決定手段（例えば、４０７）と、
前記認知レベルに応じて、前記ユーザに提示する前記地点に関する情報の種類を変更して提示する提示手段（例えば、４０３、４０４）と
を有する。
【００７０】
この実施形態により、地点に対するユーザの認知度に応じて、そのユーザに提供する情報の種類を切り替えることで、ユーザの情報に対する利便性を向上させることができる。
【００７１】
２．上記実施形態の情報提示システムでは、
前記決定手段は、複数の地点それぞれに対して、前記認知レベルを決定し、
前記提示手段は、前記複数の地点ごとの前記認知レベルに応じて、前記ユーザに提示する前記複数の地点のそれぞれに関する情報の種類を変更する。
【００７２】
この実施形態により、複数の地点それぞれに対するユーザの認知度に応じて、そのユーザに提供する情報の種類を切り替えることで、ユーザの情報に対する利便性を向上させることができる。
【００７３】
３．上記実施形態の情報提示システムでは、
前記認知レベルは、前記ユーザの行動履歴に基づいて決定される。
【００７４】
この実施形態により、ユーザによる地点への訪問履歴などの行動履歴に基づいて、適切な認知レベルを設定することができる。
【００７５】
４．上記実施形態の情報提示システムでは、
前記決定手段は、前記ユーザの地点への訪問回数が多いほど、当該ユーザの当該地点に対する認知レベルが高いと決定する。
【００７６】
この実施形態により、ユーザによる地点への訪問履歴に基づいて、適切な認知レベルを設定することができる。
【００７７】
５．上記実施形態の情報提示システムでは、
前記地点が店舗であるとき、
前記決定手段は、当該店舗の周知性に関する情報に基づいて、当該地点の認知レベルを決定する。
【００７８】
この実施形態により、店舗の周知性を考慮して認知レベルを決定し、より適切な情報の提示を行うことができる。
【００７９】
６．上記実施形態の情報提示システムでは、
前記決定手段は、当該店舗の支店数に応じて、当該地点の認知レベルを決定する。
【００８０】
この実施形態により、チェーン店など店舗の普及状況を考慮した認知レベルを決定し、より適切な情報の提示を行うことができる。
【００８１】
７．上記実施形態の情報提示システムでは、
前記認知レベルは、地点の名称に含まれるキーワードに応じて決定される。
【００８２】
この実施形態により、地点の名称を考慮した認知レベルを決定し、より適切な情報の提示を行うことができる。
【００８３】
８．上記実施形態の情報提示システムでは、
前記キーワードは、周知性に関する情報に基づいて定義される。
【００８４】
この実施形態により、地点の周知性を考慮して認知レベルを決定し、より適切な情報の提示を行うことができる。
【００８５】
９．上記実施形態の情報提示システムでは、
前記キーワードは、前記地点の属性を示す文字列である。
【００８６】
この実施形態により、地点の名称にその地点の属性を示すキーワードが含まれる場合には、その属性に対する冗長な情報の提示を抑制することができる。
【００８７】
１０．上記実施形態の情報提示システムでは、
前記提示手段は、地点に対する前記ユーザの認知レベルに応じて、提示する当該地点に関する情報の種類の数を変更させる。
【００８８】
この実施形態により、地点に対するユーザの認知のレベルに応じて、そのユーザに対し提示する情報の種類の数を切り替えることができる。
【００８９】
１１．上記実施形態の情報提示システムでは、
前記提示手段は、地点に対する前記ユーザの認知レベルが高いほど、提示する当該地点に関する情報の種類の数を減少させる。
【００９０】
この実施形態により、ユーザの認知のレベルが高い場合には、そのユーザに対し冗長な情報の提示を抑制することができる。
【００９１】
１２．上記実施形態の情報提示システムでは、
前記地点に関する情報の種類は、当該地点の名称、当該地点に関する少なくとも１つの属性情報、および当該地点に関する少なくとも１つの詳細情報を含んで構成される。
【００９２】
この実施形態により、地点に関する情報を選定する際に、複数種類の情報の中から情報を決定することが可能となる。
【００９３】
１３．上記実施形態の情報提示システムでは、 
前記提示手段は、音声もしくは画面表示の少なくとも一方により地点に関する情報を提示する。
【００９４】
この実施形態により、複数の提示方法の中から提示する方法を選択可能となる。
【００９５】
１４．上記実施形態の情報提示システムでは、
前記提示手段にて情報を提示した地点に対する指示を受け付ける手段（例えば、５１１〜５１５）を更に有し、
前記提示手段は更に、前記指示を受け付けた地点に対する認知レベルに応じて、前記ユーザに提示する当該地点に関する情報の種類を変更する。
【００９６】
この実施形態により、地点に関する情報の要求を受けた場合において、認知レベルに応じて提示する情報の種類を切り替えることで、よりユーザに適切な情報を提示することができる。
【００９７】
１５．上記実施形態の情報提示方法は、
地点に対するユーザの認知の程度を示す認知レベルを決定する決定工程と、
前記認知レベルに応じて、前記ユーザに提示する前記地点に関する情報の種類を変更して提示する提示工程と
を有する。
【００９８】
この実施形態により、地点に対するユーザの認知度に応じて、そのユーザに提供する情報の粒度を切り替えることで、ユーザの情報に対する利便性を向上させることができる。
【００９９】
１６．上記実施形態のプログラムは、
コンピュータ（例えば、２００）を、
地点に対するユーザの認知の程度を示す認知レベルを決定する決定手段（例えば、４０７）、
前記認知レベルに応じて、前記ユーザに提示する前記地点に関する情報の種類を変更して提示する提示手段（例えば、４０３、４０４）
として機能させる。
【符号の説明】
【０１００】
１…車両、２００…情報処理端末、４００…ナビゲーションシステム、４０１…位置情報取得部、４０２…経路特定部、４０３…施設情報選別部、４０４…情報提示部、４０５…移動履歴記録部、４０６…施設情報取得部、４０７…認知レベル決定部、４０８…施設情報ＤＢ、４０９…履歴情報ＤＢ、４１０…地図情報ＤＢ
【図１】
2019164476.tif 000003
【図２】
2019164476.tif 000004
【図３】
2019164476.tif 000005
【図４】
2019164476.tif 000006
【図５】
2019164476.tif 000007
【図６】
2019164476.tif 000008
【図７】
2019164476.tif 000009
【図８】
2019164476.tif 000010
【図９】
2019164476.tif 000011
【図１０】
2019164476.tif 000012